(57)【特許請求の範囲】
【請求項１】
複数枚のカレンダー紙葉を重ねたカレンダー紙葉束をミシンに同期して搬送しながら、該カレンダー紙葉束の上端縁を挟み込んだ二つ折りの厚紙上から、該ミシンを用いて単糸環縫いにより糸で縫い綴じしてなるカレンダーにおいて、
針穴を通った縫い始め側の糸端を保持し、前記カレンダー紙葉束の縫い始め側の第１針目の縫い針をカレンダー紙葉束の外側に落とし、第２針目から縫い針を該カレンダー紙葉束上に落とし、前記縫い始め側の糸端の保持を、少なくとも第３針目の縫い針が上昇するまで続けることにより、前記第２針目の縫い目の結節点を前記複数枚のカレンダー紙葉の間にもぐり込ませたことを特徴とするカレンダー。
【請求項２】
複数枚のカレンダー紙葉を重ねたカレンダー紙葉束をミシンに同期して搬送しながら、該カレンダー紙葉束の上端縁を挟み込んだ二つ折りの厚紙上から、該ミシンを用いて単糸環縫いにより糸で縫い綴じしてなるカレンダーにおいて、
前記カレンダー紙葉束の縫い終わり側の最終針落ちから２針手前の縫い針を該カレンダー紙葉束上に落とし、最終針落ちから１針手前の縫い針を該カレンダー紙葉束の外側に落とし、最終針落ちの縫い針も該カレンダー紙葉束の外側に落とし、該最終針落ちの縫い針の上昇後に該カレンダー紙葉束の搬送を停止し、前記縫い終わり側の糸端を切断後、再び該カレンダー紙葉束を搬送して切断後の糸端を該カレンダー紙葉束の下側に引っ張り込み、引っ張り込まれた糸端を引っ張ることにより、該カレンダー紙葉束の下側に結び目を形成したことを特徴とするカレンダー。
【請求項３】
前記カレンダー紙葉束の縫い始め側および縫い終わり側の両端の外側に、前記縫い針を少なくとも各１回落とすことにより、前記カレンダー紙葉束の両側の端面を糸で囲んだことを特徴とする請求項１または２記載のカレンダー。
【発明の詳細な説明】
【０００１】
【発明の属する技術分野】
本発明は、糸で縫い綴じたカレンダーに関し、特に縫い綴じ部のほつれがなく、生産性も良好なカレンダーに関するものである。
【０００２】
【従来の技術】
従来より、複数枚のカレンダー紙葉を重ねたカレンダー紙葉束の上端縁を二つ折りされた厚紙で挟み、その厚紙の下端辺近傍で、厚紙上から複数枚のカレンダー紙葉をミシンを用いて糸で綴じ合わせたカレンダーが知られている。
【０００３】
このようなカレンダーにおいて、糸綴じ部を単糸環縫いで縫い綴じるとともに、縫い始めと縫い終わりの両端または縫い終わり端で、一度縫った縫い目に再び針を通して糸を絡ませることにより、ほつれ防止処理を施したものが提案されている（たとえば特開平１１−３２１１５５、特開２０００−１８５４８４）。
【０００４】
【発明が解決しようとする課題】
しかしながら、従来の糸綴じカレンダーでは、ほつれ防止のための二度縫いによって縫い不良が発生し、生産性が低下する問題があった。以下説明する。
【０００５】
単糸環縫いで縫い綴じる場合、図９（ａ）に示すように、図示しない厚紙上からカレンダー紙葉束１Ａを貫通したミシンの針６の針穴を通った糸３がループｐを形成し、そのループｐをルーパー８の先端が引っ掛けながらｇ方向に回ることにより、ルーパー８に掛かっている、前に糸を絡めた部分ｓを支点とする三角形のループｒに、図９（ｂ）に示すようにループｐを絡ませる。その後、ルーパー８からループｒが外れ、ミシンの糸締め機構の天秤と、糸張力調節機構の糸調子と、カレンダー紙葉束１Ａの縫い綴じピッチ分の送りとで、ループｒを締め上げることにより、厚紙上から複数枚のカレンダー紙葉１を縫い綴じる。これをカレンダー紙葉束１Ａに対し繰り返していく。
【０００６】
二度縫いによるほつれを防止する場合、図１０（ａ）に示すように、同じ場所でカレンダー紙葉束１Ａに再度針６を貫通させ、針穴を通った糸３が新たにループｔを形成し、そのループｔをルーパー８の先端が引っ掛けながらｇ方向に回ることにより、ルーパー８に掛かっている、前に糸を絡めた部分ｒ’を支点とする三角形のループｐに、図１０（ｂ）に示すようにループｔを絡ませる。その後、ルーパー８からループｐが外れ、ループｔを針６に向かう途中で切ってループｐから抜き、それを締め上げることで、結び目が形成され、ほつれ防止となる。
【０００７】
しかしながら、カレンダー紙葉束１Ａの送りをしないので、図９（ｂ）に示すループｒに比べ、図１０（ａ）に示すループｒは締まりが悪く、また同じ場所で針６を貫通させることから、ループｔを形成する針６の針穴を通った糸３が縫い目の穴から抜け出て、ループｒとループｐが絡まった結び目ｒ’を下に引きずる。このためループｒとループｐの結び目ｒ’が下に垂れてルーパー８の先端に近い位置になり、ループｔを引っ掛けたルーパー８の先端がループｐ内に入る範囲に余裕がなくなる。この傾向は、縫い綴じピッチが大きいと、カレンダー紙葉束が送られないことによるループｒの締まりの悪さが大きくなることから、縫い綴じピッチが大きいほど顕著になる。
【０００８】
その結果、図１１（ａ）に示すように、ルーパー８の先端がループｐを引っ掛けなかったり、図１１（ｂ）に示すように、ルーパー８の先端がループｒを引っ掛けてしまうことがあった。いずれも、ルーパーへの糸の二重掛けとなり、糸切れが発生し、糸のほつれによる縫い不良が生じる。
【０００９】
また糸綴じカレンダーの例として、特開平１１−３２１１５５には、カレンダー幅両端に縫い綴じ部を残したカレンダーが開示されている。このカレンダーでは、縫い始めの糸の端末がカレンダー表面となるので、見栄えをよくするために、糸の端末を縫い目にきわめて近い位置で切るか、裏面に引き抜くことを要している。
【００１０】
しかしながら、糸の端末を縫い目にきわめて近い位置で切る方法は、切断に使用する例えばメスの切れ具合によっては、糸の端末処理長さにバラツキ、ササクレが生じ、そのままでは見栄えが悪く、不良品となる問題があった。一方、糸の端末を裏面に引き抜く方法では、裏面側から端末の糸だけを選択して引き抜く必要があり、機構的に複雑になる問題があった。
【００１１】
本発明の課題は、単糸環縫いにより糸で縫い綴じるカレンダーにおいて、縫い綴じ部のほつれがなく、見栄えもよく、生産性も向上することである。
【００１２】
【課題を解決するための手段】
以上の課題を解決すべく請求項１記載の発明は、
たとえば図１に示すように、複数枚のカレンダー紙葉１を重ねたカレンダー紙葉束１Ａをミシンに同期して搬送しながら、該カレンダー紙葉束１Ａの上端縁を挟み込んだ二つ折りの厚紙２上から、ミシンを用いて単糸環縫いにより糸で縫い綴じしてなるカレンダーにおいて、
たとえば図３〜図６に示すように、針穴を通った縫い始め側の糸３の端末を保持し、カレンダー紙葉束１Ａの縫い始め側の第１針目の縫い針６をカレンダー紙葉束１Ａの外側に落とし、第２針目から縫い針６を該カレンダー紙葉束１Ａ上に落とし、前記縫い始め側の糸端の保持を、少なくとも第３針目の縫い針６が上昇するまで続けることにより、前記第２針目の縫い目の結節点ｑａを前記複数枚のカレンダー紙葉１の間にもぐり込ませたことを特徴とする。
【００１３】
請求項１記載の発明によれば、以下の作用効果を有する。
（１）カレンダー紙葉束の縫い始め側に結節点（糸を絡めた部分）を形成して、その結節点を複数枚のカレンダー紙葉の間にもぐり込ませたので、結節点をほつれにくくでき、縫い始め側の糸抜けを防止でき、また結節点が露出することによる見てくれの悪さを防止することもできる。
（２）縫い始め側の結節点を複数枚のカレンダー紙葉の間にもぐり込ませた後、保持していた縫い始め側の糸端を切断することにより、糸端を縫い始め側のカレンダー紙葉束の側面を回り込んで、カレンダー紙葉束の裏面の第２針目のところに形成された形にできるので、糸の端末を裏面に引き抜く必要がなく、また糸の末端長さがばらついても見栄えに大きく影響せず、見栄えによる製品不良を低減できる。
（３）カレンダー紙葉束の縫い始め側の側部端面に縫い糸を回り込ませる形で縫い綴じるので、二つ折りにした厚紙が縫い始め側端部で表裏両側に開いて、縫い始め側端部のカレンダー紙葉がばらけることがなく、見栄えがよく、カレンダー紙葉を縫い始め側端部でしっかりと縫い綴じることができる。
【００１４】
請求項２記載の発明は、
たとえば図１に示すように、複数枚のカレンダー紙葉１を重ねたカレンダー紙葉束１Ａをミシンに同期して搬送しながら、該カレンダー紙葉束１Ａの上端縁を挟み込んだ二つ折りの厚紙２上から、ミシンを用いて単糸環縫いにより糸で縫い綴じしてなるカレンダーにおいて、
たとえば図７〜図８に示すように、カレンダー紙葉束１Ａの縫い終わり側の最終針落ちから２針手前の縫い針６を該カレンダー紙葉束１Ａ上に落とし、最終針落ちから１針手前の縫い針６を該カレンダー紙葉束１Ａの外側に落とし、最終針落ちの縫い針６も該カレンダー紙葉束１Ａの外側に落とし、該最終針落ちの縫い針の上昇後に該カレンダー紙葉束１Ａの搬送を停止し、縫い終わり側の糸端を切断後、再び該カレンダー紙葉束１Ａを搬送して切断後の糸端３ｂを該カレンダー紙葉束の下側に引っ張り込み、引っ張り込まれた糸端を引っ張ることにより、該カレンダー紙葉束の下側に結び目ｑｂを形成したことを特徴とする。
【００１５】
請求項２記載の発明によれば、以下の作用効果を有する。
（１）カレンダー紙葉束の縫い終わり側の最終針落ちから１針手前および最終針落ちの縫い針をカレンダー紙葉束の外側に落として空環を形成することにより、一度縫いのみで縫い綴じ末端に結び目を形成したので、縫い綴じの末端で一度縫ったところを再度縫うことでほつれを防止するのとは違って、糸切れが発生せず、ほつれを良好に防止でき、縫い不良を低減でき、カレンダーの生産性が向上する。
（２）カレンダー紙葉束の縫い終わり側の側部端面に縫い糸を回り込ませる形で縫い綴じるので、二つ折りにした厚紙が縫い終わり側端部で表裏両側に開いて、縫い終わり側端部のカレンダー紙葉がばらけることがなく、見栄えがよく、カレンダー紙葉を縫い終わり側端部でしっかりと縫い綴じることができる。
【００１６】
請求項３記載の発明は、請求項１または２記載のカレンダーにおいて、
カレンダー紙葉束の縫い始め側および縫い終わり側の両端の外側に、縫い針を少なくとも各１回落とすことにより、図１に示すように、カレンダー紙葉束１Ａの両側の端面を糸３で囲んだことを特徴とする。
【００１７】
請求項３記載の発明によれば、カレンダー紙葉束の縫い始め側、縫い終わり側の両側の端面に縫い糸を回り込ませる形で縫い綴じることができるので、二つ折りにした厚紙が両端部で表裏両側に開いて、両端部のカレンダー紙葉がばらけることがなく、見栄えがよく、カレンダー紙葉を両端部でしっかりと縫い綴じることができる。
【００１８】
【発明の実施の形態】
以下、本発明の実施の形態を図に基づいて詳細に説明する。
本発明を適用した一実施の形態において、カレンダーは、その正面図を示す図１（ａ）、側面図を示す（ｂ）に示すように、複数枚のカレンダー紙葉１を重ねたカレンダー紙葉束１Ａの上端縁を二つ折りの厚紙２で挟み込み、このカレンダー紙葉束１Ａを厚紙２上から糸３を使用して単糸環縫いによりカレンダーの幅の左右両端まで縫い綴じた基本構成を有している。
【００１９】
本実施の形態によれば、縫い綴じ部ｄの縫い始めの糸の端末３ａと縫い終わりの糸の端末３ｂは、カレンダーの側面を回り込んで、カレンダー上の最初の針落ちの裏面と、カレンダー上の最後の針落ちの裏面に形成し、縫い綴じの端末で一度縫ったところを再度縫うことなく、ほつれ処理をしている。また見栄えをよくするために、カレンダーの幅に合わせ、縫い綴じピッチｈを等ピッチとし、カレンダー上の最初の針落ちとカレンダー左端部との間の距離ｈａ、カレンダー上の最後の針落ちとカレンダー右端部との間の距離ｈｂとを同寸法としている。
【００２０】
また、カレンダー紙葉をめくり取る場合、カレンダー幅の左端もしくは右端からめくり取るので、両端のめくり取りの力がかかる部分は縫いピッチを小さくし、力のかからない中間部分は縫いピッチを大きくするような可変縫いピッチとすることもできる。
【００２１】
本実施の形態のカレンダーについて、縫い綴じ法にしたがって更に説明する。本実施の形態では、縫い綴じによってカレンダーを作製するために、図２に示すように、カレンダー紙葉束１Ａを二つ折りの厚紙２のところで、ミシン５に同期して縫い綴じ方向ｆに搬送できる搬送装置４で保持させ、その保持させた状態でカレンダー紙葉束１Ａをミシン５の針落ち位置ｗに対し、距離ｅからｈａを引いたｅ−ｈａの隙間を開けてセットする。ただし、距離ｅは針落ち位置ｗとカレンダー上の最初の針落ち位置との間の距離である。カレンダー紙葉束１Ａの搬送は専用の搬送装置４によらず、従来から実施されているミシンの押さえと送り歯による方法で行ってもよい。
【００２２】
ここでは、一例として、端部の寸法ｈａ、ｈｂを等ピッチの縫い綴じピッチｈより狭く設定し、距離ｅを縫い綴じピッチｈと同寸法にすることで、等ピッチ縫い綴じを行う方法で説明する。
【００２３】
カレンダーの縫い綴じを開始するに当たり、図３に示すように、ミシンの針６の針穴を通った糸３を糸保持装置７で保持して、針をあらかじめカレンダー紙葉束１Ａの上方に位置させておく。
【００２４】
ついで、ミシン５を１回転動作させると、図４（ａ）に示すように、第１針目の縫い針６が下降し、針穴を通って糸保持装置７で保持されている間の糸３は、ルーパー８がｇ方向に回転することで、ルーパー８の先端に引っ掛けられる。そして縫い針６が上昇し、ミシンと同期した搬送装置４による搬送でカレンダー紙葉束１Ａが縫い綴じピッチ分移動した状態で、図４（ｂ）に示すように、糸３がルーパー８に引っ掛かっている状態になる。糸３はカレンダー紙葉束１Ａの端面に当接する。
【００２５】
この状態からミシン５と搬送装置４の動きを同期させて、縫い綴じピッチ分縫い綴じると、図５に示すように、カレンダー紙葉束１Ａ上の最初の針落ち（第１針目のカレンダー紙葉束の外側への針落ちからは第２針目）のところで糸３が絡んで、ルーパー８に掛かっている状態になる。さらにミシンと搬送装置の動きを同期させながら縫い綴じピッチ分縫い綴じることにより、図６に示すように、糸３がミシンの天秤と糸調子と搬送送りとにより締め上げられ、第２針目で絡めた部分（結節点）ｑａが縫い目の穴にもぐり込む形になる。
【００２６】
カレンダー紙葉束１Ａ上方で糸保持装置７に保持されている糸３は、保持されたままでは縫い綴じが続けられないので、適当なタイミング（例えば第３針目の縫い針６の上昇時）と長さｕで切る。長さｕで切った縫い始めの糸端末３ａは、カレンダー紙葉束１Ａの側面を回り込んで、カレンダー紙葉束上の最初の針落ちの裏面に形成された形になり、絡めた部分ｑａが縫い目の穴にもぐり込んだ状態で締め上げられるので、穴の中で複数枚のカレンダー紙葉１と厚紙が絡めた糸の抵抗となり、糸を絡めた部分ｑａの糸抜けを防止できるとともに、ほつれにくくすることができる。また糸を絡めた部分ｑａが露出することによる見てくれの悪さを防止することもできる。
【００２７】
縫い終わり側の縫い綴じは、ミシンと搬送装置の動きを同期させながら縫い綴じ続けた後、図７に示すように、カレンダー紙葉束１Ａ上の最後の針落ちを過ぎてから、縫い針６をカレンダー紙葉束１Ａの外側へ針落ちさせ、さらに最終針落ちの縫い針６もカレンダー紙葉束１Ａの外側に落として空環部ｚを形成した後、針上死点でミシン５、搬送装置４とも停止させる。その後、針６の針穴を通って空環部ｚに向かう糸３の途中ｉを切る。糸を切る工程は、図３の糸保持装置７に、糸をつかみに行って保持する機能と糸切りをする機能とを持たせて、糸保持装置で行った方が生産性がよい。
【００２８】
糸切り後、カレンダー紙葉束１Ａを縫い綴じ方向と同方向のｊ方向に移動させると、糸がルーパー８に引っ掛かっているので、糸端末３ｂはループｋからルーパー８を経由して３ｂ’のように下方に引き抜かれる。最後に、図８に示すように、糸端末３ｂを空環部ｚが締まるように、矢印ｍの下方向に引っ張ることにより、空環部ｚが締まり２つ結びの結び目ｑｂになって、糸端末３ｂを糸がほつれない長さｎで切ることにより、カレンダーの縫い綴じが完了する。これにより、長さｎで切った縫い終わりの糸端末３ｂは、カレンダー側面を回り込んでカレンダー紙葉束上の最後の針落ちの裏面に形成され、結び目ｑｂにより縫い綴じの末端のほつれ防止ができる。
【００２９】
以上のように構成された本実施の形態のカレンダーによれば、次のような作用効果を有する。
（１）従来の糸綴じカレンダーのように、カレンダー紙葉束の縫い終わり側の末端で一度縫ったところを再度縫うことによりほつれ防止を行うのではなく、カレンダー紙葉束の縫い終わり側の外側に縫い針を２針落として空環を形成することにより、一度縫いのみで縫い綴じ末端に結び目を形成してほつれ防止をしたので、糸切れが発生せず、ほつれを良好に防止できる。したがって縫い不良を低減でき、カレンダーの生産性が向上する。
（２）カレンダー紙葉束の縫い始め側に糸を絡めた部分（結節点）を形成して、その糸を絡めた部分を複数枚のカレンダー紙葉の間にもぐり込ませたので、結節点をほつれにくくでき、縫い始め側の糸抜けを防止でき、また結節点が露出することによる見てくれの悪さを防止することもできる。
（３）縫い始め側の糸を絡めた部分を複数枚のカレンダー紙葉の間にもぐり込ませた後、保持していた縫い始め側の糸端を切断することにより、糸端を縫い始め側のカレンダー紙葉束の側面を回り込んで、カレンダー紙葉束上の最初の針落ちの裏面に形成された形にできるので、糸の端末を裏面に引き抜く必要がなく、また糸の末端長さがばらついても見栄えに大きく影響せず、見栄えによる製品不良を低減できる。
（４）カレンダー紙葉束の縫い始めと縫い終わりの部分の縫い糸をカレンダー側面に回り込ませる形で縫い綴じるので、二つ折りにした厚紙が左右両端部で表裏両側に開いて、左右両端部のカレンダー紙葉がばらけることがなく、見栄えがよく、カレンダー紙葉を左右両端部でしっかりと縫い綴じることができる。
【００３０】
【発明の効果】
以上説明したように、本発明によれば、単糸環縫いによる縫い綴じ部のほつれがなく、見栄えもよく、生産性も向上したカレンダーを提供することができる。
【図面の簡単な説明】
【図１】本発明の一実施の形態に係るカレンダーを示す図であり、図１（ａ）は正面図、図１（ｂ）は側面図である。
【図２】図１のカレンダーを構成するカレンダー紙葉束の単糸環縫いによる縫い綴じ時のミシンに対するセットの様子を示す説明図である。
【図３】図２のカレンダー紙葉束の縫い始め前のミシンの針の位置を示す説明図である。
【図４】図２のカレンダー紙葉束の縫い始め側の縫製を示す説明図である。
【図５】図４の縫い始め側の縫製の続きを示す説明図である。
【図６】図５の縫い始め側の縫製の続きを示す説明図である。
【図７】図２のカレンダー紙葉束の縫い終わり側の縫製を示す説明図である。
【図８】図７の縫い終わり側の縫製後の処理を示す説明図である。
【図９】カレンダーの単糸環縫いによる縫い綴じを示す説明図である。
【図１０】従来のカレンダーにおけるほつれ防止のための二度縫いを示す説明図である。
【図１１】図１０の二度縫いにおける失敗例を示す説明図である。
【符号の説明】
１    カレンダー紙葉
１Ａ  カレンダー紙葉束
２    厚紙
３    糸
３ａ、３ｂ  糸端
４    搬送装置
５    ミシン
６    縫い針
７    糸保持装置
８    ルーパー
ｑａ  糸を絡めた部分（結節点）
ｑｂ  結び目
【図１】
0004674295.tif 000002
【図２】
0004674295.tif 000003
【図３】
0004674295.tif 000004
【図４】
0004674295.tif 000005
【図５】
0004674295.tif 000006
【図６】
0004674295.tif 000007
【図７】
0004674295.tif 000008
【図８】
0004674295.tif 000009
【図９】
0004674295.tif 000010
【図１０】
0004674295.tif 000011
【図１１】
0004674295.tif 000012